(57)【特許請求の範囲】
【請求項１】
グリーンハーバル様香気を有する香料組成物を含有する生理用吸収性物品であって、
グリーンハーバル様の香料組成物が、ギ酸シス−３−ヘキセニル、プロピオン酸シス−３−ヘキセニル、酪酸シス−３−ヘキセニル、トランス−２−ヘキセナール、酢酸トランス−２−ヘキセニル、酢酸ヘキシル、酢酸スチラリル、３（４）−（５−エチルビシクロ［２，２，１］ヘプチル−２）−シクロヘキサノール、２−ペンチロキシグリコール酸アリル、４−メチル−３−デセン−５−オール、ヘキシルアルデヒド、２，４−ジメチル−３−シクロヘキセニルカルボキシアルデヒド及びフェニルアセトアルデヒドからなる群より選択される１種又は２種以上の香料を含有する生理用吸収性物品。
【請求項２】
グリーンハーバル様の香料組成物が、更に、ｌ―メントール、１，８−シネオール、サリチル酸メチル、α−ピネン、β−ピネン、シトロネラール、カンファー、ボルネオール、酢酸イソボルニル、酢酸ターピニル、オイゲノール、アネトール、４−メトキシベンジルアルコール及びエストラゴールからなる群より選択される１種又は２種以上の香料を含有する請求項１記載の生理用吸収性物品。
【請求項３】
香料組成物を吸収性物品１個あたり０．３〜１００ｍｇ含有する請求項１又は２に記載の生理用吸収性物品。
【請求項４】
ギ酸シス−３−ヘキセニル、プロピオン酸シス−３−ヘキセニル、酪酸シス−３−ヘキセニル、トランス−２−ヘキセナール、酢酸トランス−２−ヘキセニル、酢酸ヘキシル、酢酸スチラリル、３（４）−（５−エチルビシクロ［２，２，１］ヘプチル−２）−シクロヘキサノール、２−ペンチロキシグリコール酸アリル、４−メチル−３−デセン−５−オール、ヘキシルアルデヒド、２，４−ジメチル−３−シクロヘキセニルカルボキシアルデヒド及びフェニルアセトアルデヒドからなる群より選択される１種又は２種以上の香料を、香料組成物中に０．５〜３０質量％含有し、
ｌ―メントール、１，８−シネオール、サリチル酸メチル、α−ピネン、β−ピネン、シトロネラール、カンファー、ボルネオール、酢酸イソボルニル、酢酸ターピニル、オイゲノール、アネトール、４−メトキシベンジルアルコール及びエストラゴールからなる群より選択される１種又は２種以上の香料を、香料組成物中に１〜３０質量％含有する請求項２又は３に記載の生理用吸収性物品。
【請求項５】
ギ酸シス−３−ヘキセニル、プロピオン酸シス−３−ヘキセニル、酪酸シス−３−ヘキセニル、トランス−２−ヘキセナール、酢酸トランス−２−ヘキセニル、酢酸ヘキシル、酢酸スチラリル、３（４）−（５−エチルビシクロ［２，２，１］ヘプチル−２）−シクロヘキサノール、２−ペンチロキシグリコール酸アリル、４−メチル−３−デセン−５−オール、ヘキシルアルデヒド、２，４−ジメチル−３−シクロヘキセニルカルボキシアルデヒド及びフェニルアセトアルデヒドからなる群より選択される１種又は２種以上の香料を含有し、グリーンハーバル様香気を有する月経前症候群緩和剤。
【発明の詳細な説明】
【技術分野】
【０００１】
本発明は、月経前症候群の軽減に有効な香りを付した生理用吸収性物品に関する。
【背景技術】
【０００２】
ナプキンやパンティライナー等の生理用吸収性物品では、香りが機能的かつ付加価値の高い製品において、重要な役割を担っている場合がある。例えば、本出願人は先に、特定の香料を用い、経血等による不快臭を消臭することを提案した（特許文献１参照）。
【０００３】
ところで、排卵のある（妊娠が可能な）女性には月経前症候群（以下、ＰＭＳという）と呼ばれる症状があることが知られている。ＰＭＳは「月経開始の３〜１０日前から始まる精神的、身体的症状で、月経開始と共に減退ないし、消失するもの」と定義されている（日本産科婦人科学会）。ＰＭＳは、排卵のある（妊娠が可能な）女性であれば、誰にでも起こり得る症状であり、決して特別なものではない。しかしながら、ＰＭＳは、月経の周期ごとに反復して現れる非常にわずらわしいものである。また、症状の度合いも個人差が激しく、症状が現れてもそれほど気にならない程度の人もいれば、逆に日常生活でさえも困難になってしまう女性もいる。特に、極端に重度の症状が現れるものを月経前不機嫌性障害（ＰＭＤＤ）といい、ＰＭＳの症状を訴える女性のうち、約５％は適切な治療が必要であるとされている。
【０００４】
【特許文献１】特開２００４−４１４０７号公報
【発明の開示】
【発明が解決しようとする課題】
【０００５】
従って本発明の目的は、排卵のある（妊娠が可能な）女性であれば、誰にでも起こりえ、実際に多くの女性が悩みを訴えているＰＭＳに代表される女性特有の症状の中でも特に精神的な不快症状を、身体に物理的刺激を与えること無く、また経口投与にもよらず、日常的に用いる製品を使用しながらにして、安全かつ簡便に緩和させることにある。
【課題を解決するための手段】
【０００６】
本発明は、グリーンハーバル様香気を有する香料組成物を含有する生理用吸収性物品を提供することにより前記目的を達成したものである。
【発明の効果】
【０００７】
本発明によれば、排卵のある（妊娠が可能な）多くの女性が使用する生理用品を使いながらにして、安全かつ簡便に月経随伴性症状に特有の不快感を緩和させることができる。
【発明を実施するための最良の形態】
【０００８】
以下本発明を、その好ましい実施形態に基づき説明する。本発明の生理用吸収性物品（以下、単に吸収性物品ともいう）は、主として経血や膣排泄物など、女性の膣から排泄される体液を吸収保持するために用いられるものである。本発明の吸収性物品には例えば生理用ナプキン、パンティライナー、おりものシート等が包含されるが、これらに限定されるものではなく、女性の膣から排泄される体液の吸収に用いられる物品を広く包含する。
【０００９】
本発明の吸収性物品は、典型的には、表面シート、裏面シート及び両シート間に介在配置された液保持性の吸収体を具備している。吸収性物品が、パンティライナーやおりものシートである場合には、それらの吸収性物品は吸収体を具備せず、表面シートと裏面シートから構成されている場合がある。表面シート及び裏面シートとしては、当該技術分野において通常用いられている材料を特に制限無く用いることができる。吸収性物品は更に、該吸収性物品の具体的な用途に応じた各種部材を具備していてもよい。そのような部材は当業者に公知である。例えば表面シート上の左右両側部に一対の立体ガードを配置することができる。また、表面シートと吸収体との間に、サプレイヤーシート或いはセカンドシートと呼ばれる液透過性のシートを配置することもできる。更に、裏面シートの下着対向面に、吸収性物品を着用者の下着に固定するための粘着剤層を形成することもできる。粘着剤層は、吸収性物品が使用されるまでの間、剥離紙によって保護されている。
【００１０】
衛生上の観点から、吸収性物品は個装フィルムによって個装されて個装体となっている場合がある。本発明にいう吸収性物品には、そのような個装体の形態のものも包含される。
【００１１】
表面シートとしては液透過性の材料、例えば熱可塑性樹脂からなる繊維、例えばポリエチレン、ポリエステル（ポリエチレンテレフタレート）、ポリプロピレン、ポリ酢酸ビニル及びこれらの複合繊維等を各種当業者公知の方法でウエブ化し結合した不織布、コットンやレーヨン繊維を水流交絡などの方法で絡合させた不織布、熱可塑性樹脂シートを適当な方法で開孔させた開孔シート等を用いることができる。裏面シートとしては、例えばポリエチレンやポリプロピレン等を主体としたフィルム、スパンボンド不織布などの片面にフィルムをラミネートした複合シートなどの液透過性ないし撥水性のシートを用いることができる。裏面シートは水蒸気透過性を有していてもよい。吸収体としては、例えば吸収紙、パルプ、高吸収性ポリマー等からなる、通常の生理用品に用いられている吸収体が用いられる。サプレイヤーシート或いはセカンドシートとしては、例えば親水化処理が施され、液透過性を有する不織布等が用いられる。
【００１２】
本発明の吸収性物品は香料組成物を含有している。香料組成物は、吸収性物品を構成する一又は二以上の部材に付与することができる。例えば、表面シート、吸収体、サプレイヤーシート、剥離紙、個装フィルムのうちの何れか一部材又は任意の二部材以上の組み合わせに香料組成物を付与することができる。
【００１３】
本発明の吸収性物品は、香料組成物がグリーンハーバル様香気を有する香料を含有していることによって特徴付けられる。ここでいう香料とは、後述するA群やB群に代表されるような単体の香料素材を指す。また、香料組成物とは、これら単体の香料素材、又は天然精油や調合ベースのように複数の香料によって構成される香料素材によって組み合わされたもので、溶剤によって希釈、調整されたものを含む。グリーンハーバル様香気を有する香料を含有する香料組成物を吸収性物品に含有させることで、該香料から生じるグリーンハーバル様香気の作用によって、ＰＭＳに代表される月経随伴性症状の中でも特に精神的な不快症状を、身体に物理的刺激を与えること無く、また経口投与にもよらず、安全かつ簡便に緩和させることが可能になる。これに加え、快適感も得られる。
【００１４】
グリーンハーバル様香気による不快感緩和効果を長期間持続させる観点から、本発明の吸収性物品は個別包装されることが好ましい。
【００１５】
グリーンハーバル様香気は、グリーン様香気（グリーンノート）又はハーバル様香気（ハーバルノート）を含む香調である。グリーン様香気とは、草や若葉のすがすがしい香調をいう。ハーバル様香気（ハーバルノート）とは、ハーブを用いた自然で、薬草的な香り立ちが特徴の香調をいう。
【００１６】
本発明で用いられるグリーンハーバル様の香料組成物は、シス−３−ヘキセノール、ギ酸シス−３−ヘキセニル、酢酸シス−３−ヘキセニル、プロピオン酸シス−３−ヘキセニル、酪酸シス−３−ヘキセニル、トランス−２−ヘキセナール、酢酸トランス−２−ヘキセニル、酢酸ヘキシル、酢酸スチラリル、２−メチル−３−（３，４−メチレンジオキシフェニル）−プロパナール（ＩＦＦ社名、ヘリオナール）、３（４）−（５−エチルビシクロ［２，２，１］ヘプチル−２）−シクロヘキサノール、２−ペンチロキシグリコール酸アリル（ＩＦＦ社名、アリルアミルグリコレート）、４−メチル−３−デセン−５−オール（Ｇｉｖａｕｄａｎ社名、ウンデカベルトール）、ヘキシルアルデヒド、２，４−ジメチル−３−シクロヘキセニルカルボキシアルデヒド（ＩＦＦ社名、トリプラール）及びフェニルアセトアルデヒドからなる群（以下、この群をＡ群という）より選択される１種又は２種以上の香料を含有することが好ましい。これらの香料として市販品を用いることもできる。例えば前記の３（４）−（５−エチルビシクロ［２，２，１］ヘプチル−２）−シクロヘキサノールを主成分とする混合物からなる香料は、花王株式会社からマグノールの商品名で市販されている。Ａ群に含まれる香料は、主としてグリーン様香気を生ずるものである。
【００１７】
Ａ群の香料のうち、特にシス−３−ヘキセノール、ギ酸シス−３−ヘキセニル、酢酸シス−３−ヘキセニル、プロピオン酸シス−３−ヘキセニル、酪酸シス−３−ヘキセニル、酢酸トランス−２−ヘキセニル、酢酸ヘキシル、酢酸スチラリル、２−メチル−３−（３，４−メチレンジオキシフェニル）−プロパナール、マグノール、２−ペンチロキシグリコール酸アリル、４−メチル−３−デセン−５−オール、ヘキシルアルデヒド、２，４−ジメチル−３−シクロヘキセニルカルボキシアルデヒド及びフェニルアセトアルデヒドからなる群より選択される１種又は２種以上の香料を用いることが好ましく、とりわけシス−３−ヘキセノール、酢酸シス−３−ヘキセニル、酢酸ヘキシル、酢酸スチラリル、２−メチルー３−（３，４−メチレンジオキシフェニル）−プロパナール、マグノール及び２，４−ジメチル−３−シクロヘキセニルカルボキシアルデヒドからなる群より選択される１種又は２種以上の香料を用いることが好ましい。
【００１８】
Ａ群の香料は、香料組成物中に０．５〜３０質量％、特に１〜２０質量％含有されることが好ましい。
【００１９】
本発明で用いられるグリーンハーバル様の香料組成物は、前記のＡ群の香料に加えて、更に、ｌ−メントール、１，８−シネオール、サリチル酸メチル、α−ピネン、β−ピネン、シトロネラール、カンファー、ボルネオール、酢酸イソボルニル、酢酸ターピニル、オイゲノール、アネトール、４−メトキシベンジルアルコール及びエストラゴールからなる群（以下、この群をＢ群という）より選択される１種又は２種以上の香料を含有することが好ましい。Ｂ群に含まれる香料は、主としてハーバル様香気を生ずるものである。
【００２０】
Ｂ群の香料のうち、特にｌ―メントール、１，８−シネオール、サリチル酸メチル、α−ピネン、酢酸ターピニル、オイゲノール及びアネトールからなる群より選択される１種又は２種以上の香料を用いることが好ましく、とりわけオイゲノールを用いることが好ましい。
【００２１】
Ｂ群の香料は、香料組成物中に、１〜３０質量％、特に５〜２０質量％含有されることが好ましい。
【００２２】
前記のＡ群及びＢ群の香料は、例えば適当な溶剤と調整されて香料組成物となされる。溶剤としては、例えばグリセリン、プロピレングリコール、ジプロピレングリコール、ミリスチン酸イソプロピル、クエン酸トリエチル、１，３−ブチレングリコール、ポリエチレングリコール、エタノールなどが用いられる。
【００２３】
香料組成物中には、グリーンハーバル様香気を損なわない程度にその他の香料素材を配合してもよい。その他の香料素材には、グリーンハーバル様以外の香気を有する全ての香料又は香料組成物が含まれる。例えば、シトラール、リモネン、ゲラニオール、シトロネロール、リナロール、フェニルエチルアルコール、ベンジルアセテート、ジヒドロジャスモン酸メチル、ターピネオール、α−ダマスコン、β−ダマスコン、バニリン、クマリン、ヘリオトロピン、ガラクソライド、ペンタライド、エチレンブラシレート、サリチル酸シス−３−ヘキセニル、サリチル酸ヘキシルなどの単体香料、及びフローラル、ウッディ、シトラス、フルーティ様の天然精油や調合ベースなどが含まれる。
【００２４】
本発明の吸収性物品に含有される香料組成物の量は、心理的にポジティブな効果が充分に得られる量であればよく、吸収性物品の大きさに応じて、吸収性物品１個当り、好ましくは０．３〜１００ｍｇ、更に好ましくは０．３〜２０ｍｇ、一層好ましくは０．３〜５ｍｇの範囲から適宜選択すればよい。吸収性物品に含有させる香料組成物の量をかかる範囲内とすることによって、香料組成物自体の匂いや使用感が過度になることなく、不快感の緩和効果を充分なものとすることができる。
【００２５】
香料組成物は、吸収性物品の構成部材に均一に付与されることが好ましい。これらの部材への香料組成物の付与は、例えば含浸、塗布、練り込みなどの手段を用いて行うことができる。具体的には、次の（１）〜（４）の方法を用いることができる。
【００２６】
（１）各部材の連続帯状物、あるいはこれらの原材料（例えば紙、不織布等）の連続帯状物を、複数のローラー等を介して搬送し、搬送中に所定位置において、香料組成物を、その供給ノズルから、該連続帯状物の上面に滴下又はミスト状に噴霧して、該香料組成物を所定量、該連続帯状物に含浸させる。
【００２７】
（２）各部材の連続帯状物、あるいはこれらの原材料（例えば紙、不織布等）の連続帯状物を、複数のローラー等を介して搬送し、搬送中に所定位置において、香料組成物を含浸させたローラー体を該連続帯状物の上面に回転接触させて、該香料組成物を所定量、該連続帯状物に転移含浸させる。
【００２８】
（３）各部材の連続帯状物、あるいはこれらの原材料（例えば紙、不織布等）の連続帯状物を、複数のローラー等を介して搬送し、搬送中に所定位置において、香料組成物の含浸体を該連続帯状物の上面に間歇的にスタンプ形式で当接させて、該香料組成物を所定量、該連続帯状物に転移含浸させる。
【００２９】
（４）予め所定の大きさになした各部材を、搬送ベルト上に所定間隔で載置し、前記（１）〜（３）の方法に準じて、吸収体又は表面シートに含浸させる。また、製品化された吸収性物品に、適宜な手段で香料組成物を含浸させても良い。更に、吸収体や表面シートを製造するに際して、吸収体の原材料や表面シートの原材料（例えば、パルプ、ポリマー等）に香料組成物を添加、混合することも可能である。
【００３０】
前記の（１）〜（４）の方法のうち、（１）〜（３）の方法においては、各部材の連続帯状物に香料組成物を含浸させた場合、香料組成物の含浸された該連続帯状物は、所定の大きさや形状の吸収体又は表面シートに切断してから使用される。
【００３１】
本発明の吸収性物品に香料組成物を含浸させる場合には、該香料組成物を、希釈剤を用いて希釈して用いてもよい。その際の希釈率は、１０〜９０質量％、特に３０〜７０質量％とすることが好ましい。希釈剤としては、水、エタノール、プロパノール、低分子炭化水素類、液化石油ガス、ジエチルエーテル等を用いることができる。香料組成物を水に可溶化分散させる場合には、可溶化剤として陰イオン界面活性剤、陽イオン界面活性剤、非イオン界面活性剤、両性界面活性剤を使用することが出来る。
【００３２】
本発明の吸収性物品は、生理用ナプキンの形態で月経期間中に使用されることはもちろんのこと、月経前に用いても効果のあるものである。一般に成人女性の月経前症候群は３人に２人が経験するといわれていることから、月経前３〜１０日のＰＭＳ期間中に本発明の吸収性物品を使用することは非常に有効である。本発明の吸収性物品を月経前のＰＭＳ期間中に使用する場合には、該吸収性物品をパンティライナーやおりものシートなどの形態で用いることが特に効果的である。
【００３３】
特に、本発明の吸収性物品が個装シートによって個別に包装されて個装体になっている場合には、包装体から吸収性物品を取り出すたびに、ふと香る香りが使用者に効果的に働きかけられて使用者の気分が爽快になる。特に、香りをじっくり吸い込むなどの行為をすることで、更に高い効果が期待できる。例えば、本発明の吸収性物品がバックやカバンのような小さいスペースから取り出される場合や、トイレのような狭く密閉性の高い空間で本発明の吸収性物品を付け替える場合に、特に効果的に香りを感じることができる。
【実施例】
【００３４】
以下、実施例により本発明を更に詳細に説明するしかしながら本発明の範囲はかかる実施例に制限されない。
【００３５】
〔実施例１並びに比較例１及び比較例２〕
花王株式会社製のロリエ（登録商標）パンティーライナーの剥離紙に、以下の表１に示す処方の香料組成物を含浸させた。含浸量は１．０ｍｇ／枚であった。このようにして得られたパンティーライナーを実施例１とする。比較例１のパンティライナーとして、以下の表１に示す処方の香料組成物（フローラル様、石鹸様の香調）を、実施例１と同様の操作によって含浸させたものを用いた。含浸量は１．０ｍｇ／枚であった。比較例２のパンティライナーとして、香料組成物を含浸させていないパンティライナーそのものを用いた。
【００３６】
【表１】
0004776407.tif 000002
【００３７】
２４名の女性被験者を対象に、各被験者に対し、次の流れで評価を行った。実験開始前に、被験者にはその日のＰＭＳ症状について、“ＰＭＳメモリー”を用いて回答を求めた（ＰＭＳメモリーの詳細については後述する）。被験者は程度の違いはあるものの全員が何らかのＰＭＳ症状を訴えた。回答後、被験者を恒温評価室（温度２４．０℃／ＳＤ：±０．７℃、湿度３９．４％ＲＨ／ＳＤ：±３．７％）に入室させ、椅子にかけさせた。そして各被験者の額に脳波センサーを装着させた。次に、各被験者に比較例２のパンティライナー（未賦香品）の匂いを嗅がせ、これを提示中に脳波計測を行った（脳波計測の詳細については後述する）。更に、提示後に気分評定尺度に回答を求めた（気分評定尺度の詳細については後述する）。次に、実施例１又は比較例２のパンティライナーのいずれかを提示し、香り提示中に脳波計測を行い、香り提示後に気分評定尺度で回答を求めた。その後、２回目とは異なるパンティライナーの香りについて同様の評価を行い、一人当たり、計３回の評価を行った。香りの提示時間は、１回当たりおよそ２分間とした。
【００３８】
香りの提示方法は次の通りとした。パンティライナーにおける下着への接着面を２枚分貼り合わせ、約１．５ｃｍ画に裁断した。これを蓋付きのアクリル製円筒型透明筒容器（高さ１０５ｍｍ×直径９５ｍｍ）に入れた。そして容器の筒口から匂いを提示した。
【００３９】
評価結果は次の通りとなった。図１には、評価した被験者全員の脳波解析の結果である快適度の平均値が各香り条件別に示されている。実施例１（本発明品）は、比較例１（フローラル様、石鹸様の香調）及び比較例２（未賦香品）と比較し、快適度のスコアが高い傾向がみられた。
【００４０】
次に、気分評定について検討した。各実験条件で実験を行った後の気分因子の平均スコアを算出し、未賦香品（比較例２）提示後と、各賦香品（実施例１及び比較例）提示後との差分（変化値）を比較した。このうち、不快の気分因子である４因子のスコアの合計を不快感スコアとし、その変化値を比較した。その結果を図２に示す。図２に示す結果から明らかなように、不快感スコアは、実施例１では、比較例１及び比較例２に対し何れも統計的に有意に減少した（実施例１−比較例２：有意確率ｐ＜０．０１、実施例−比較例１：有意確率ｐ＜０．０５）。しかし、比較例１と比較例２との間では有意な差は得られなかった。これらの結果は、実施例１が、比較例１よりも不快感を減少させる効果を有することを示唆している。
【００４１】
一方、評価直後に、回答したＰＭＳメモリーの得点を基準に被験者を分類した。高得点群（上位６名）、低得点群（下位６名）の脳波解析における快適度を比較したものを図３に示す。快適度の平均スコアは、高得点群では統制条件に対し、実施例１及び比較例１ともに高かったが、統制条件−実施例１間では、統計的有意差（ｐ＜０．０５）が得られた。しかし、低得点群では、実施例１及び比較例１ともに僅かに低かった。この結果、香りの提示により、ＰＭＳ得点の高い群では、統制条件よりも快適度が高まる傾向が認められることが判った。中でも、特に実施例１は比較例１よりもその傾向が強いことが認められた。また、気分評定尺度においては、図４及び図５に示すように、実施例１及び比較例１の何れも、快の気分因子である「感動」、「活気」、「爽快感」の比較例２に対する変化値は、ＰＭＳ高得点群の方が低得点群よりも大きくなる傾向が確認された。
【００４２】
以上の各結果から、実施例１（本発明品）は、ＰＭＳ症状の重い群に対し、より効果的に作用することが判った。
【００４３】
〔実施例２及び３〕
表１に示す処方に代えて、表２に示す処方の香料組成物を用いた以外は、実施例１と同様にしてパンティライナーを得た。得られたパンティライナーについて実施例１と同様の評価を行ったところ、実施例１とほぼ同様の結果が得られた。特に、Ａ群及びＢ群の香料を含む香料組成物が含浸された実施例２のパンティライナーは評価が高かった。
【００４４】
【表２】
0004776407.tif 000003
【００４５】
以上の評価に用いられた指標等の詳細について以下に説明する。
【００４６】
〔脳波計測〕
工業技術院生命工学工業技術研究所吉田倫幸氏開発の簡易型α波リズムモニターを用い、快適度を測定した。この機器に関する詳細は、例えば特開平６−１６５７６５号公報に記載されている。脳波電極を国際１０−２０法にしたがいＦｐ１，Ｆｐ２の前頭部２部位に装着、右耳朶をアース、左耳朶を基準電極とし前頭部脳波を記録した。記録された脳波について１０２．４秒間の平均ゆらぎスペクトルを求め、それぞれの部位について、得られたゆらぎスペクトルから変曲点を求め、変曲点より低周波帯域の傾き係数を算出し、これをゆらぎリズム係数とした。一般に、ゆらぎ係数は−１に近いほど感情状態が良く、快適な心地よい状態であり、０に近づくほど感情状態が悪いことを示していると言われている。個々に左右のリズム度の値をもとに、この機器で定義される「快適度」が、０〜１００％で算出される。
快適度＝（√〔［（左リズム度）×（左リズム度）＋（右リズム度）×（右リズム度）］／２〕）×１００（％）
これらを統計的に処理した結果、心理状態を反映した快、不快のレベルを脳活動から客観的に捉えることができ、提示される香り条件間の効果の違いについて、相対的な検証が可能となる。
【００４７】
〔気分評定尺度〕
気分、感情など心理的側面への香りの影響をみる上で開発（Ａｒｏｍａ  Ｒｅｓｅａｒｃｈ，Ｖｏｌ．４，Ｎｏ．３，ｐ．２９−３４，（２００３））された「香りによる気分評価尺度」を用いた。表３に示すように、快と不快の気分が各４因子、計８つの気分因子で構成され、各因子は、３項目の感情形容語によって構成される。被験者には、今の気分の程度を５段階（０：全くそう思わない、１：わずかにそう思う、２：まあまあそう思う、３：かなりそう思う、４：非常にそう思う、の点数で算出）で回答を求める。本発明では、香りが心理的側面に与える影響について、全被験者の統制条件（比較例２）後と各賦香品（実施例１及び比較例１）提示条件後、それぞれの各気分因子スコアの平均値、またはその差分値によって、条件間の違いが気分へ与える影響について検証した。
【００４８】
【表３】
0004776407.tif 000004
【００４９】
〔ＰＭＳメモリー〕
ＰＭＳメモリーとは、ＰＭＳの診断用として、月経連絡協議会、及び社団法人日本家族計画協会により開発されたものである。日本人女性に頻度の多い、月経に伴う症状（月経随伴症状）のリストを添付し、被験者自身が、毎日の症状と程度を記録するように作成された日誌形式の冊子である。表４に示すように、症状リストには、２５項目の身体症状、１５項目の精神的症状、１２項目の社会的症状が挙げられている。被験者は４段階（０：症状無し、１：少しあるが、日常生活に影響なし２：日常生活に影響する程度にある  ３：はげしい）の点数で、症状の程度を記録する。本実施例では、このリストの項目を用い、被験者には試験当日の症状の程度（評価前）について回答を求めた。
【００５０】
【表４】
0004776407.tif 000005
【図面の簡単な説明】
【００５１】
【図１】脳波解析の結果である快適度の平均値を示すグラフである。
【図２】不快感の平均スコアを示すグラフである。
【図３】脳波測定における快適度を示すグラフである。
【図４】実施例１における快の気分因子の変化スコアを示すグラフである。
【図５】比較例１における快の気分因子の変化スコアを示すグラフである。
【図１】
0004776407.tif 000006
【図２】
0004776407.tif 000007
【図３】
0004776407.tif 000008
【図４】
0004776407.tif 000009
【図５】
0004776407.tif 000010